(57)【要約】      （修正有）【課題】アルバム用写真をパソコンに取り込むにあたり、受領した写真のサイズを簡易に判別し以後の処理を容易にする専用紙を提供する。【解決手段】取込み専用紙として、印刷用のＡ４サイズの白紙に、４Ｌよこ用、４Ｌたて用、２Ｌ２枚よこ用、Ｌ４枚用として、必要な写真枠と対角線を描画しておく。取込んだ写真ＯＤＥＦを、Ｏ点を基点に画面に乗せる。取込写真の右上コーナーがＥ点に乗れば、其の写真はＬサイズタイプと判定し、パソコンの自由変形の右上のコーナーマークを、ＯＢ線上を移動させ、拡大、縮小を示すＬ値の目盛りで移動を停止する。縮小の場合は、写真の右上コーナーＥ（又はＨ，Ｉ）点を、基点のＯ点に向いそれぞれの対角線に添いスライドし、所望の点で停止する。【選択図】図２
2009279937.tif 000002
【特許請求の範囲】
【請求項１】
Ａ４サイズの白紙に、写真の拡大、縮小を補助する写真枠と対角線等を印刷した、アルバム用写真のパソコン取込み専用紙。
【発明の詳細な説明】
【技術分野】
【０００１】  この発明は、特別な専用紙を使用して、写真のパソコン取込み以前、以後の操作に寄与するものである。
【背景技術】
【０００２】  従来、取込み前には何等の手段をほどこさなかった。
【発明の開示】
【発明が解決しようとする課題】
【０００３】  これは、次のような欠点があった。
従来は写真の拡大、縮小に最も大切な、受取写真の「たて」「横」比率に無関心だった。本発明は、受け取った写真がＬサイズタイプのものか、否かを判定し、それに対応することとした。
【課題を解決するための手段】
【０００４】１。取込み専用紙として、印刷用のＡ４サイズの白紙に、
４Ｌよこ用、４Ｌたて用、２Ｌ２枚よこ用、Ｌ４枚用
として、必要な写真枠と対角線を描画しておく。
２。写真枠と対角線の描画は次の通り。
１Ｌサイズの形態とは、８９×１２５ミリ＝１１１２５平方ミリの長方形である。
其の長方形の数値から、長辺は短辺の１、４倍である。従って面積を１、４で割り、    其の数値の平方根を求めると、Ｌサイズの短い方の数値がえられ、其の１、４倍が長    辺の数値となる。其の計算結果の一部を表示すると以下の通り。
４Ｌサイズ      １７８×２５０ミリ
３Ｌサイズ      １５４×２１６ミリ
２Ｌサイズ      １２６×１７６ミリ
１Ｌサイズ        ８９×１２５ミリ
０．５Ｌサイズ        ６３×８８ミリ
以上の数値を図表化すると図１のごとくなる。
３．第１図を使用して、写真枠と対角線の使用法を第２図を使って解説する。
写真枠ＯＡＢＣは４Ｌよこ用で、直線ＯＢは対角線を示す。
（１）取込んだ写真ＯＤＥＦを、Ｏ点を基点に画面に乗せる。取込写真の右上コーナ        ーがＥ点に乗れば、其の写真はＬサイズタイプと判定し、パソコンの自由変形の        右上のコーナーマークを、ＯＢ線上を移動させ、拡大、縮小を示すＬ値の目盛り        で移動を停止する。
３．第１図を使用して、写真枠と対角線の使用法を第２図を使って解説する。
写真枠ＯＡＢＣは４Ｌよこ用で、直線ＯＢは対角線を示す。
（１）取込んだ写真ＯＤＥＦを、Ｏ点を基点に画面に乗せる。取込写真の右上コーナ        ーがＥ点に乗れば、其の写真はＬサイズタイプと判定し、パソコンの自由変形の        右上のコーナーマークを、ＯＢ線上を移動させ、拡大、縮小を示すＬ値の目盛り        で移動を停止する。
（２）取込み写真がＯＧＨＦのごとく、Ｌタイプサイズより大きい場合は次ぎの処置        を取る。
第１案    Ｈ点からＥ点までの斜線部分を消去し、Ｈ点は爾後Ｅ点を使って拡                  大、縮小する。削除は写真の上部、下部或いは両者折半による。
第２案    ＯＧＨＦが有意義で削除の余地がない場合は、取込み写真の右上コ                  ーナーのＨ点とＯＨを結び、その延長線が４Ｌタイプサイズの直線Ａ                  Ｂと交叉する点Ｇをマークし、パソコンの自由変形の拡大を終止。
第３案    取込み写真がＯＨＩＦのごとく、Ｌタイプより小さい場合は、対角                  線ＯＩを延長し、ＢＣとの交叉点Ｊにて作業を終える。
（３）縮小の場合は、写真の右上コーナーＥ（又はＨ，Ｉ）点を、基点のＯ点に向い        それぞれの対角線に添いスライドし、所望の点で停止する。
【発明の効果】
【０００５】  受領写真をこの専用紙に乗せた瞬間、その写真の縦横比が正しいか判定可能標準比率の写真なら、写真枠の対角線上を希望する倍率数字点までスライド。
増大縮小は２〜３ミリまで扱う。非標準にも対応。
正確で、短時間、価格低廉でさらに特筆すべきはパソコンのレイヤーが苦手な人達に使いやすい。
【発明を実施する為の最良の形態】
【０００６】以下、本発明を実施するための最良の形態について説明する。
（１）  本発明には、まずこの専用紙が無事に取込まれることが必要であるが、取り込み  前の場合、写真を説明する印刷の部分が空白であるため、プリンターが写真だけが全被  写体と誤認することがすくなくない。
取り込み前に、文字印刷部分の空白保全のため、この取り込み専用紙にはＡ４用紙の  四隅に黒色のコーナーマークを印刷、又は張り付けられている。
（２）  希少な例の正方形写真の取り込みを補助するため、４Ｌサイズの専用紙には、正  方形用に使用する、正方形用対角線がこの４Ｌ線との交点に、三角形が描いてある。
【図面の簡単な説明】
【０００７】
【図１】本発明の「４Ｌよこ」用の平面図
【図２】本発明の使用要領図
【図３】本発明の「４Ｌたて」用平面図の使用例
【図４】本発明の「２Ｌ２枚よこ」用平面図の使用例
【図５】本発明の「Ｌ４枚たて」用平面図と使用例
【符号の説明】
【０００８】  各図面毎に説明
【図１】
2009279937.tif 000003
【図２】
2009279937.tif 000004
【図３】
2009279937.tif 000005
【図４】
2009279937.tif 000006
【図５】
2009279937.tif 000007
【手続補正書】
【提出日】平成21年9月24日(2009.9.24)
【手続補正１】
【補正対象書類名】明細書
【補正対象項目名】０００４
【補正方法】変更
【補正の内容】
【０００４】  １．受け取り写真のタイプの判定と、それに対応するため、印刷用のＡ４サイズの白紙に、Ｌサイズ用として４Ｌよこ用、４Ｌたて用、２Ｌ２枚よこ用、２Ｌ２枚たて用、１Ｌ４たて用、１Ｌ４よこ用と、はがきサイズ用として、はがき  たて用、はがき  よこ用に、必要な目盛りを含む対角線と写真枠を描画しておく。
２．写真枠と対角線．目盛りも描画は次ぎの通り
Ａ．１Ｌサイズの形態は、８９×１２５ミリ＝１１１２５平方ミリの長方形である。
其の長方形の数値から、長辺は短辺の１．４倍である。従って面積を１．４で割り、その数値の平方根を求めると、Ｌサイズの短い方の数値が得られ、其の１．４倍が長辺の数値となる。その計算結果の一部を表示すると以下の通り。
４Ｌサイズ      １７８×２５０ミリ
３Ｌサイズ      １５４×２１６ミリ
２Ｌサイズ      １２６×１７６ミリ
１Ｌサイズ        ８９×１２５ミリ
０．５Ｌサイズ        ６３×８８ミリ
以上の数値を図表化すると図１のごとくなる。
Ｂ．はがきサイズの形態では、基本サイズの長方形１００×１４８ミリ（面積１４８００ミリ）に対して、拡大、縮小を希望する倍数の平方根を、基本サイズの短辺と長辺の各々に掛けた後、改めて短辺と長辺の数字を掛け合わせる方式をお採用している。
例．．．．．はがきサイズを３倍にしたい場合。
３の平方根を求める．．．．．．．．．．．．．．．．．．．．．１．７３２
短辺１００×１．７３２．．．．．．．．．．．．．．．．．．．１７３．２
長辺１４８×１．７３２．．．．．．．．．．．．．．．．．２５６．３３６
短辺×長辺＝１７３．２×２５６．３３６＝４４３．９７＝４４４，００
基本サイズの３倍＝１４８００×３＝４４４，００
３．図１を使用して、写真枠と対角線の使用法を図２を使って解説する。
写真枠ＯＡＢＣは４Ｌよこ用で、直線ＯＢは対角線を示す。
（１）取り込んだ写真ＯＤＥＦを、Ｏ点を基点の画面に乗せる。取り込み写真の右上コーナーがＥ点にのれば、其の写真はＬサイズタイプと判定し、パソコンの自由変形の右上のコーナーマークを、ＯＢ線上を移動させ、拡大、縮小を示すＬ値の目盛りで移動を停止する。
（２）取り込み写真がＯＧＨＦのごとく、Ｌタイプサイズより大きい場合は次ぎの処置をとる。
第１案  Ｈ点からＥ点までの斜線部分を消去し、Ｈ点は爾後Ｅ点を使って拡大、縮小する。削除は写真の上部、下部又は両者折半による。
第２案  ＯＧＨＦが有意義で削除の余地がない場合は、取込み写真の右上コーナーのＨ点とＯＨを結び、その延長線が４Ｌタイプサイズの直線ＡＢと交叉する点Ｇをマークし、パソコンの自由変形の拡大を終止。
第３案  取込み写真がＯＨＩＦのごとく、Ｌタイプより小さい場合は、対角線ＯＩを延長し、ＢＣとの交叉点Ｊにて作業を終える。
（３）縮小の場合は、写真の右上コーナーＥ（叉はＨ，Ｉ）点を、基点のＯ点に向いそれぞれの対角線に添いスライドし、所望の点で停止する。
４．はがきサイズの使用については、基礎となる「たて」「よこ」のサイズ関連以外に特別な相違はない。
【手続補正２】
【補正対象書類名】明細書
【補正対象項目名】０００７
【補正方法】変更
【補正の内容】
【０００７】
【図１】  本発明の「４Ｌよこ」用の平面図
【図２】  本発明の使用要領図
【図３】  本発明の「４Ｌたて」用平面図と使用例
【図４】  本発明の「２Ｌ２枚よこ」用平面図と使用例
【図５】  本発明の「Ｌ４枚たて」用平面図と使用例
【図６】  本発明の「Ｌ４枚よこ」用平面図と使用例
【図７】  本発明の「２Ｌ２枚たて」用平面図と使用例
【図８】  本発明の「はがき  たて」用平面図と使用例
【図９】  本発明の「はがき  よこ」用平面図と使用例
【手続補正３】
【補正対象書類名】図面
【補正対象項目名】図６
【補正方法】追加
【補正の内容】
【図６】
2009279937.tif 000008
【手続補正４】
【補正対象書類名】図面
【補正対象項目名】図７
【補正方法】追加
【補正の内容】
【図７】
2009279937.tif 000009
【手続補正５】
【補正対象書類名】図面
【補正対象項目名】図８
【補正方法】追加
【補正の内容】
【図８】
2009279937.tif 000010
【手続補正６】
【補正対象書類名】図面
【補正対象項目名】図９
【補正方法】追加
【補正の内容】
【図９】
2009279937.tif 000011